(57)【要約】【課題】本発明は、ＨＡ通信ユニットをオプション部品とする場合に、ＨＡ通信ユニットを使用しないときにおける性能の低下を防ぐ空気調和機を提供することを目的とする。【解決手段】前面空気吸込口と、前面空気吸込口から吸い込んだ空気が流れる室内熱交換器と、室内熱交換器の上流側に位置するエアフィルタと、室内熱交換器を通過した空気が流れる空気吹出口と、前面吸込口の前面に位置する前面パネルと、前面パネルとエアフィルタの間に位置し、無線ＬＡＮ接続アダプタを取り付けることができるアダプタ保持機構部とを備え、アダプタ保持機構部は空気通し穴を有する空気調和機の室内機。【選択図】図３
2015081723.tif 000002
【特許請求の範囲】
【請求項１】
前面空気吸込口と、
前記前面空気吸込口から吸い込んだ空気が流れる室内熱交換器と、
前記室内熱交換器の上流側に位置するエアフィルタと、
前記室内熱交換器を通過した空気が流れる空気吹出口と、
前記前面吸込口の前面に位置する前面パネルと、
前記前面パネルと前記エアフィルタの間に位置し、ＬＡＮ接続アダプタを取り付けることができるアダプタ保持機構部とを備え、
前記アダプタ保持機構部は空気通し穴を有する空気調和機の室内機。
【請求項２】
前記アダプタ保持機構部は縦方向にリブを有することを特徴とする請求項１に記載の空気調和機の室内機。
【請求項３】
前記アダプタ保持機構部の面積に対する前記空気通し穴の総面積の割合は３０％以上であることを特徴とする請求項１に記載の空気調和機の室内機。
【請求項４】
前面に設けられた前面空気吸込口と、
前記前面吸込口の前面に位置する前面パネルと、
前記前面空気吸込口から吸い込んだ空気が流れる室内熱交換器と、
前記室内熱交換器の上流側に位置するエアフィルタと、
前記室内熱交換器を通過した空気が流れる空気吹出口と、
前記前面パネルと前記エアフィルタの間に位置し、ＬＡＮ接続アダプタを取り付けることができるアダプタ保持機構部と、
室内を撮像する撮像手段と、
前記アダプタ保持機構部及び前記撮像手段に接続されている空調制御基板とを備え、
前記アダプタ保持機構部は前記室内機の長手方向において前記空調制御基板と前記撮像手段の間に位置する空気調和機の室内機。
【請求項５】
請求項１乃至４のいずれかに記載の空気調和機の室内機と、
圧縮機、膨張機構及び室外熱交換器を有する室外機とを備える空気調和機。
【発明の詳細な説明】
【技術分野】
【０００１】
本発明は、空気調和機に関する。
【背景技術】
【０００２】
空気調和機に遠隔操作機能が搭載されるようになってきている。空気調和機に遠隔操作機能を搭載するには、ＨＡ（ホームオートメーション）通信ユニット（インターフェースアダプタ）を空気調和機に設置し、遠隔操作制御信号を空気調和機用の信号に変換する必要がある。
【０００３】
特許文献１には、ＨＡ通信ユニットを空気調和機のオプション部品とし、電装品箱と対応する位置にダミー吹出口を設け、ＨＡ通信ユニットをダミー吹出口から装着可能な空気調和機が記載されている。
【先行技術文献】
【特許文献】
【０００４】
【特許文献１】特開２００８−１１１６１４号公報
【発明の概要】
【発明が解決しようとする課題】
【０００５】
しかしながら、特許文献１に記載の空気調和機では、電装品箱とダミー吹出口との間にＨＡ通信ユニットを設置するためのスペースを確保しなければならない。すると、ＨＡ通信ユニットを設置するスペースを設けた分、室内機が大型化し、又は、空気調和機の性能が低下する。
【０００６】
空気調和機の性能低下については、電装品箱を室内熱交換器の側方に設置する場合、電装品箱の厚みが増すほど室内熱交換器の設置スペースが制約される。特許文献１に記載のように、ＨＡ通信ユニットを電装品箱とダミー吹出口の間に設置すると、電装品箱の容積を確保するために電装品箱の厚みを増す必要がある。そのため、室内熱交換器の設置スペースが制約され、空気調和機の性能が低下する。
【０００７】
ここで、ＨＡ通信ユニットがオプション部品である場合、ＨＡ通信ユニットを使用しないときは、室内機にとってＨＡ通信ユニットを設置するスペースはデッドスペースとなる。つまり、特許文献１に記載の空気調和機では、ＨＡ通信ユニットを使用する場合に加え、ＨＡ通信ユニットがオプション部品であってＨＡ通信ユニットを使用しない場合においても、室内機が大型化し、又は、空気調和機の性能が低下する。
【０００８】
そこで、本発明は、ＨＡ通信ユニットを使用しないときにおける性能の低下を防ぐ空気調和機を提供することを目的とする。
【課題を解決するための手段】
【０００９】
上記課題を解決する為に本発明の空気調和機の室内機は、前面空気吸込口と、前面空気吸込口から吸い込んだ空気が流れる室内熱交換器と、室内熱交換器の上流側に位置するエアフィルタと、室内熱交換器を通過した空気が流れる空気吹出口と、前面吸込口の前面に位置する前面パネルと、前面パネルとエアフィルタの間に位置し、無線ＬＡＮ接続アダプタを取り付けることができるアダプタ保持機構部とを備え、アダプタ保持機構部は空気通し穴を有する。
【発明の効果】
【００１０】
本発明によれば、ＨＡ通信ユニットを使用しないときにおける性能の低下を防ぐ空気調和機を提供することができる。
【図面の簡単な説明】
【００１１】
【図１】本実施形態に係る空気調和機の室内機の外観斜視図である。
【図２】本実施形態に係る空気調和機の室内機の下方斜視図である。
【図３】本実施形態に係る空気調和機の室内機の正面図である。
【図４】本実施形態に係る空気調和機の室内機の側面図である。
【図５】本実施形態に係る空気調和機の室内機のアダプタ保持機構部付近の外観斜視図である。
【図６】本実施形態に係る空気調和機の室内機のアダプタ保持機構部付近の外観斜視図である。
【発明を実施するための形態】
【００１２】
以下、本発明の実施の形態を図１〜４を用いて説明する。なお、各図において共通する部分には同一の符号を付し、重複した説明を省略する。
【００１３】
図１は、本実施形態に係る空気調和機の室内機の外観斜視図である。図２は本実施形態に係る空気調和機の室内機の下方斜視図である。図３は本実施形態に係る空気調和機の室内機の正面図である。図４は、本実施形態に係る空気調和機の室内機の側面図である。
【００１４】
空気調和機は、室内機１と、室外機（図示せず）と、リモコン（図示せず）を備えている。室内機１と室外機とは冷媒配管（図示せず）で接続され、周知の冷媒サイクルによって、室内機１が設置されている室内を空調する。また、室内機１と室外機とは、通信ケーブル（図示せず）を介して互いに情報を送受信するようになっている。
【００１５】
リモコンはユーザによって操作され、室内機１のリモコン受信部に対して赤外線信号を送信する。当該信号の内容は、運転要求、設定温度の変更、タイマ、運転モードの変更、停止要求などの指令である。空気調和機は、これらの信号に基づいて、冷房モード、暖房モード、除湿モードなどの空調運転を行う。
【００１６】
室内機１は、前面に前面空気吸込口２ａ、上面に上面空気吸込口２ｂ、前面下部に空気吹出口３を備えている。前面空気吸込口２ａと上面空気吸込口２ｂの下流にエアフィルタ６が設けられ、室内の空気に含まれる塵埃を除去する。
【００１７】
エアフィルタ６の上流側には、エアフィルタ６に付着した塵埃を除去するために、自動フィルタお掃除機構７を設けられている。
【００１８】
前面パネル９は、室内機１の前面を覆うように設置されており、下端を軸として前面パネル用モータにより回動可能な構成となっている。ちなみに、前面パネル９を、固定されるものとして構成してもよい。
【００１９】
前方筺体右側に電気品８が配置され、前面パネル９は電気品８の前方に位置する。
【００２０】
上下風向板１０は、室内機マイコンからの指示に従い、両端部に設けた回動軸を支点にして上下風向板用モータにより回動される。左右風向板（図示せず）は、室内機マイコンからの指示に従い、下部に設けた回動軸を支点にして左右風向板用モータにより回動される。
【００２１】
図４に示すように、室内熱交換器５は複数本の伝熱管を有し、送風ファン４により室内機１内に取り込まれた空気を、伝熱管を通流する冷媒と熱交換させ、空気を加熱又は冷却するように構成されている。なお、伝熱管は、冷媒配管（図示せず）に連通し、周知の冷媒サイクル（図示せず）の一部を構成している。
【００２２】
図１乃至４に示すように、遠隔操作用無線ＬＡＮ接続アダプタ３１が取り付けられるアダプタ保持機構部３０は、室内機１の筐体内であって、前面パネル９とエアフィルタ６との間に配置されている。
【００２３】
ここで、無線ＬＡＮ接続アダプタ３１とは無線ＬＡＮへの接続機能を追加するための拡張機器のことである。なお、無線ＬＡＮ接続アダプタ３１の代わりに、Ｗｉ−Ｆｉアダプタを用いるようにしてもよく、また、有線で接続するようにしてもよい。すなわち、室内機１をネットワークに接続するためのＬＡＮ接続アダプタであれば、他のアダプタを用いてもよい。
【００２４】
すなわち、本実施形態の空気調和機の室内機１は、前面に設けられた前面空気吸込口２ａと、前面吸込口２ａの前面に位置する前面パネル９と、前面空気吸込口２ａから吸い込んだ空気が流れる室内熱交換器５と、室内熱交換器５の上流側に位置するエアフィルタ６と、室内熱交換器５を通過した空気が流れる空気吹出口３と、前面パネル９とエアフィルタ６の間に位置し、ＬＡＮ接続アダプタ（無線ＬＡＮ接続アダプタ３１）を取り付けることができるアダプタ保持機構部３０とを備える。このような位置にアダプタ保持機構部３０を配置することで、前面パネル９の下端を開口するだけでアダプタ保持機構部３０が現れ、容易に遠隔操作用無線ＬＡＮ接続アダプタ３１を操作、又は、室内機１に着脱することができる。
【００２５】
さらに、前面パネル９を閉じる事で遠隔操作用無線ＬＡＮ接続アダプタ３１が外部から見えることがない。室内機１は一般的に天井付近の壁に設置される。そのため、アダプタ保持機構部３０は前面パネル９の下部に設けることで、運転中に前面パネル９は上端が開口しても、ＬＡＮ接続アダプタ３１が外部から見えることがない。すなわち、本実施形態によれば、遠隔操作用無線ＬＡＮ接続アダプタ３１の着脱しやすさと意匠性の両立を図ることができる。
【００２６】
また、前面パネル９の直ぐ裏にあるため、遠隔操作用無線ＬＡＮ接続アダプタ３１と外部との信号の妨げを防ぐことができる。さらに、遠隔操作用無線ＬＡＮ接続アダプタ３１を室内熱交換器５の上流側に位置させることができ、室内熱交換器５の熱・結露による影響を防ぐことができる。
【００２７】
なお、遠隔操作用無線ＬＡＮ接続アダプタ３１を動作させる為の電源制御用の接続リード線は電気品８から配線されている。接続リード線はアダプタ保持機構部３０に格納されており、容易に遠隔操作用無線ＬＡＮ接続アダプタ３１を接続リード線に取り付けることができる。
【００２８】
図５及び図６は、本実施形態に係る空気調和機の室内機のアダプタ保持機構部付近の外観斜視図である。図５は電気品カバー８１を外したときの外観斜視図であり、図６は電気品カバー８１を外したときの外観斜視図である。
【００２９】
室内機１の前面パネル９の左右方向中央の下部には撮像手段３２が設置され、左右方向両端の下部には電気品８の制御基板３３が設置されている。
【００３０】
電気品８の制御基板３３と遠隔操作用無線ＬＡＮ接続アダプタ３１を接続する配線は、電気品８の制御基板３３と撮像手段３２を接続する配線に比べて、太く、且つ、単位長さあたりのコストを高い。そこで、本実施形態では、室内機１の長手方向において、アダプタ保持機構部３０を撮像手段３２と電気品８の制御基板３３の間に配置している。すなわち、本実施形態に係る空気調和機の室内機は、リード線によってアダプタ保持機構部３０及び撮像手段３２に接続されている空調制御基板３３を備え、アダプタ保持機構部３０は空調制御基板３３と撮像手段３２の間に位置する。本実施形態によれば、アダプタ保持機構部３０に配置した遠隔操作用無線ＬＡＮ接続アダプタ３１からの配線を短くしてコストを低減する。さらに、余計な配線の経路が無いので、周囲部品による配線がはさみ込みこまれる可能性を低減することができる。更に、余計な配線スペースが不要となる。
【００３１】
エアフィルタ６のお手入れをする時に、エアフィルタ６を室内機１から外す必要がある。本実施形態では、アダプタ保持機構部３０の上部面取り３０ａは、エアフィルタ６取り付け、取り外し時に抵抗とならないようにする形状としている。アダプタ保持機構部３０の上部面取り３１ａのように斜め形状にして、エアフィルタ６とアダプタ保持機構部３０の空間を自動フィルタお掃除機構７が通る寸法以上確保している。
【００３２】
アダプタ保持機構部３０は、上述したとおり、前面パネル９とエアフィルタ６の間に配置されており、吸込み空気の通風抵抗となって、空気調和機の効率が低下する。しかし、上述した目的から遠隔操作用無線ＬＡＮ接続アダプタ３１を通風抵抗となる位置に設置する必要性が高く、本実施形態ではアダプタ保持機構部３０を前面パネル９とエアフィルタ６の間に設置している。しかし、室内機１の使用形態によっては、遠隔操作用無線ＬＡＮ接続アダプタ３１を活用しない場合も考えられる。その際に、本実施形態では、簡単に遠隔操作用無線ＬＡＮ接続アダプタ３１を室内機１から取り外すことができるが、アダプタ保持機構部３０は通風抵抗となる位置に設置されたままの状態であり、吸込み空気の通風抵抗となる。
【００３３】
そこで、本実施形態では、アダプタ保持機構部３０に複数の空気通し穴３０ｂを設けている。本実施形態によれば、遠隔操作用無線ＬＡＮ接続アダプタ３０を取り付けないで空気調和機を運転する場合において、アダプタ保持機構部３０の通風抵抗を低減し、空気調和機の性能を向上させることができる。
【００３４】
本実施形態では空気調和機の効率を向上させるために、アダプタ保持機構部３０の面積（内面の総面積）に対する複数の空気通し穴３０ｂの総面積の割合を３０％以上としている。
【００３５】
さらに、遠隔操作用無線ＬＡＮ接続アダプタ３１をネジ固定する時にアダプタ保持機構部３０にネジを押しつける為にアダプタ保持機構部３０にある程度の強度が必要となる。しかしながら、上述したとおり、アダプタ保持機構部３０に複数の空気通し穴３０ｂを設けているため、アダプタ保持機構部３０の強度を補強する必要がある。
【００３６】
そこで、本実施形態では、アダプタ保持機構部３０の中央付近に固定支柱３０ｆを配置し、縦方向にリブ形状を有する事でアダプタ保持機構部３０の強度を補強している。
【００３７】
本実施形態では、自動お掃除機構７をエアフィルタ６の上流側に配置しており、アダプタ保持機構部３０と自動お掃除機構７が接触しない位置に、アダプタ保持機構部３０を配置している。
【００３８】
遠隔操作用無線ＬＡＮ接続アダプタ３１の一部をアダプタ保持機構部３０の差し込み部３０ｄに差し込み、アダプタ保持機構部３０の取り付けネジボス３０ｃにネジを固定する事で、安易に取り付けやすい構造にしている。
【００３９】
配線スペース３０ｅには電気品８の制御基板３３と遠隔操作用無線ＬＡＮ接続アダプタ３１を接続する配線の一部が設置されており、配線を含めた遠隔操作に必要な部品のコンパクト化を図っている。
【００４０】
以上、本発明に係る空気調和機について各実施形態により説明したが、本発明の実施態様はこれらの記載に限定されるものではなく、種々の変更などを行うことができる。
【００４１】
本実施形態では、前面パネル９が運転中に上端が開口する方式である場合について説明したが、運転中に駆動せず、且つ、スリットを有する前面パネル９を用いてもよい。
【符号の説明】
【００４２】
１    室内機
２ａ  前面空気吸込口
２ｂ  上面空気吸込口
３    空気吹出口
４    送風ファン
５    室内熱交換器
６    エアフィルタ
７    自動フィルタお掃除機構
８    電気品
９    前面パネル
１０  上下風向板
３０  アダプタ保持機構部
３０ａ    上部面取り
３０ｂ    空気通し穴
３０ｃ  取り付けネジボス
３０ｄ  差し込み部
３０ｅ  配線スペース
３０ｆ  固定支柱
３１    無線ＬＡＮ接続アダプタ
３２    撮像手段
３３    空調制御基板
８１    電気品カバー
【図１】
2015081723.tif 000003
【図２】
2015081723.tif 000004
【図３】
2015081723.tif 000005
【図４】
2015081723.tif 000006
【図５】
2015081723.tif 000007
【図６】
2015081723.tif 000008